【手続補正書】
【提出日】平成23年4月11日(2011.4.11)
【手続補正１】
【補正対象書類名】特許請求の範囲
【補正対象項目名】全文
【補正方法】変更
【補正の内容】
【特許請求の範囲】
【請求項１】
コンピュータで実行される方法であって、
ユーザ通知文を挿入するために、再生中のメディア番組に関連する時刻を判定する段階と、
前記再生中のメディア番組の視聴者の一員に対して提示されるべき、前記再生中のメディア番組以外のメディア番組に関する提案を自動的に生成する段階と、
前記再生中のメディア番組内において、前記生成された提案を、ユーザに関係のあるメディアプレーヤー上で提示するためのフォーマットで提供する段階と、
選択されたときに再生中でないメディア番組に関連する動作を遂行する制御を発生させる段階とを含み、
前記提案を生成するための情報がインターネットから獲得されると共に、前記提案が、前記ユーザに関係のあるメディアプレーヤーに対応するユーザ以外の一人以上のユーザの嗜好を表す情報を用いて生成され、
前記提案及び前記制御が、前記再生中のメディア番組の一部分の上を覆うように提示された１つ以上の画面上のガジェットとして実施され、前記画面上のガジェットが、前記提案及び前記制御を生成するためのランタイムにおいて呼び出されるコードを有する１つ以上の対応するポータブルプログラムモジュールによって生成され、前記ポータブルプログラムモジュールが、複数の異なるウェブ対応型システムによってコンテナ文書の一部分として実行されることができる
ことを特徴とするコンピュータで実行される方法。
【請求項２】
前記再生中のメディア番組に関連する時刻を判定する段階が、前記ユーザ通知文を表示するための時刻を選択する段階を含む
ことを特徴とする請求項１に記載のコンピュータで実行される方法。
【請求項３】
前記時刻が、番組区分の終了点に関連する時期として選択される
ことを特徴とする請求項２に記載のコンピュータで実行される方法。
【請求項４】
前記時刻が、時計に基づく時刻として選択される
ことを特徴とする請求項２に記載のコンピュータで実行される方法。
【請求項５】
前記時計に基づく時刻が、１時間の最初か、または１時間の最後である
ことを特徴とする請求項４に記載のコンピュータで実行される方法。
【請求項６】
前記生成された提案が、番組時刻表グリッドを含む
ことを特徴とする請求項１に記載のコンピュータで実行される方法。
【請求項７】
前記番組時刻表グリッドが、個人用チャンネルを表示する
ことを特徴とする請求項６に記載のコンピュータで実行される方法。
【請求項８】
前記再生中のメディア番組が、ユーザによって操作される装置に記録されると共に、前記再生中でないメディア番組が、放送予定の番組である
ことを特徴とする請求項１に記載のコンピュータで実行される方法。
【請求項９】
前記生成された提案をサーバから遠隔表示装置まで送信する段階を更に含む
ことを特徴とする請求項１に記載のコンピュータで実行される方法。
【請求項１０】
もし前記提案が実行されない場合、所定時間後に前記生成された提案の表示を削除する段階を更に含む
ことを特徴とする請求項１に記載のコンピュータで実行される方法。
【請求項１１】
前記提案が、前記再生中のメディア番組と前記再生中でないメディア番組との間の主題における類似点に基づいて生成される
ことを特徴とする請求項１に記載のコンピュータで実行される方法。
【請求項１２】
前記生成された提案を提供する段階の前に、前記再生中でないメディア番組がユーザに対する表示のために入手可能であることを判定する段階を更に含む
ことを特徴とする請求項１に記載のコンピュータで実行される方法。
【請求項１３】
その上に記録された命令を有するコンピュータ読み取り可能な媒体であって、
前記命令が、実行されたときに、
ユーザ通知文を挿入するために、再生中のメディア番組に関連する時刻を判定する動作と、
前記再生中のメディア番組の視聴者の一員に対して提示されるべき、前記再生中のメディア番組以外のメディア番組に関する提案を自動的に生成する動作と、
前記再生中のメディア番組に関連する前記時刻において、前記生成された提案を、ユーザに関係のあるメディアプレーヤー上で提示するためのフォーマットで提供する動作と、
選択されたときに再生中でないメディア番組に関連する動作を遂行する制御を発生させる動作とを遂行し、
前記提案を生成するための情報がインターネットから獲得されると共に、前記提案が、前記ユーザに関係のあるメディアプレーヤーに対応するユーザ以外の一人以上のユーザの嗜好を表す情報を用いて生成され、
前記提案及び前記制御が、前記再生中のメディア番組の一部分の上を覆うように提示された１つ以上の画面上のガジェットとして実施され、前記画面上のガジェットが、前記提案及び前記制御を生成するためのランタイムにおいて呼び出されるコードを有する１つ以上の対応するポータブルプログラムモジュールによって生成され、前記ポータブルプログラムモジュールが、複数の異なるウェブ対応型システムによってコンテナ文書の一部分として実行されることができる
ことを特徴とするコンピュータ読み取り可能な媒体。
【請求項１４】
前記生成された提案が、番組時刻表グリッドを含む
ことを特徴とする請求項１３に記載の媒体。
【請求項１５】
前記番組時刻表グリッドが、個人用チャンネルを表示する
ことを特徴とする請求項１４に記載の媒体。
【請求項１６】
コンピュータで実行される方法であって、
表示装置上の第１のメディア番組の表示において、前記第１のメディア番組に関連する第２のメディア番組に関する提案を誘発するための事象を自動的に確認する段階と、
前記表示装置上に前記第１のメディア番組と共に前記提案を表示させる段階と、
前記提案に対するユーザの応答の結果として、前記表示装置を前記第２のメディア番組に切り換えさせる情報を提供する段階とを含み、
前記提案を生成するための情報がインターネットから獲得されると共に、前記提案が、前記表示装置に対応するユーザ以外の一人以上のユーザの嗜好を表す情報を用いて生成される
ことを特徴とするコンピュータで実行される方法。
【請求項１７】
前記提案が、前記再生中の番組の内容に関連付けられた番組か、または前記表示装置に関連付けられたユーザと関係がある興味に関連付けられた番組を含む
ことを特徴とする請求項１６に記載のコンピュータで実行される方法。
【請求項１８】
前記提案が、それぞれが前記再生中の番組の内容に関連付けられた複数の番組か、または前記ユーザと関係がある興味に関連付けられた複数の番組を含む
ことを特徴とする請求項１７に記載のコンピュータで実行される方法。
【請求項１９】
メディア番組情報を生成するための、コンピュータで実現されるシステムであって、
インターネット接続を介してメディア番組情報を受信するためのネットワークインタフェースと、
実行されたときに再生中のメディア番組を介して再生中でないメディア番組に関する提案を提供させる命令を格納するメモリと、
前記再生中の番組か、または前記再生中の番組に関連付けられたユーザに関する特徴を確認すると共に、確認された特徴に基づいて、そして前記再生中の番組に関連付けられたユーザ以外の一人以上のユーザの嗜好を表すインターネットから獲得された情報の中から、再生中でないメディア番組を選択するように、番組選別器を操作するプロセッサと
を備えることを特徴とするコンピュータで実現されるシステム。
【請求項２０】
前記ネットワークインタフェース、メモリ、及びプロセッサが、メディアプレーヤーに付随するクライアント装置に存在する
ことを特徴とする請求項１９に記載のシステム。